(57)【要約】【課題】  輸送時の軟質材の変形を防止し得る間仕切りのハンガーレールを提供する。【解決手段】  パネル１３を移動可能に支持するハンガーレール１１に、該ハンガーレール１１とパネル１３との間の隙間を覆う軟質材１７を取着した間仕切りにおいて、ハンガーレール１１には、ハンガーレール１１とパネルとの間の隙間を覆うようにハンガーレールから露出させて軟質材１７を保持する通常係止部１６と、ハンガーレール１１の溝部内に軟質材１７を溝部外に露出しないように保持する輸送用係止部１８とを備えた。【選択図】      図１
2006125067.tif 000002
【特許請求の範囲】
【請求項１】
パネルを移動可能に支持するハンガーレールに、該ハンガーレールと前記パネルとの間の隙間を覆う軟質材を取着した間仕切りにおいて、
前記ハンガーレールには、
該ハンガーレールと前記パネルとの間の隙間を覆うようにハンガーレールから露出させて前記軟質材を保持する通常係止部と、
前記ハンガーレールの溝部内に前記軟質材を溝部外に露出しないように保持する輸送用係止部と
を備えたことを特徴とするハンガーレール。
【請求項２】
前記ハンガーレールは、複数のランナー走行部を連結部で連結してランナー走行部間に溝部を形成し、前記連結部の下面に前記通常係止部を設け、前記連結部の上面に前記輸送用係止部を設けたことを特徴とする請求項１記載のハンガーレール。
【請求項３】
前記ハンガーレールの下面に前記通常係止部を設け、前記溝部は、前記軟質材の高さより深く形成したランナー走行部とし、前記輸送用係止部は、前記ハンガーレールのランナー走行部の上辺に前記軟質材を下方に吊下げ可能に設けたことを特徴とする請求項１記載のハンガーレール。
【請求項４】
前記通常係止部及び輸送用係止部を溝状に形成し、前記軟質材の基端部を前記通常係止部及び輸送用係止部に挿通可能とする板状部としたことを特徴とする請求項１乃至３のいずれか１項に記載のハンガーレール。
【請求項５】
請求項１乃至４のいずれか１項に記載のハンガーレールからランナーを介してパネルを回動可能に支持したことを特徴とする間仕切り。
【発明の詳細な説明】
【技術分野】
【０００１】
この発明は、間仕切りのハンガーレールに関するものである。
【背景技術】
【０００２】
図４は、従来の間仕切りを示す。ハンガーレール１に複数枚のパネル２がランナー３を介して吊下支持され、各パネル２は下部レール４に支持されている。従って、各パネル２はハンガーレール１及び下部レール４に沿って移動する。
【０００３】
各パネル２間において、ハンガーレール１にはモヘアにてなる軟質材５が取着され、ハンガーレール１とパネル２上端との隙間からの光漏れを防止している。
上記のようなハンガーレールに類似するハンガーレールが特許文献１に開示されている。
【特許文献１】実開平１−１５９０８０号公報
【発明の開示】
【発明が解決しようとする課題】
【０００４】
上記のようにモヘアを備えたハンガーレールを輸送する際には、モヘアを丸めた状態で梱包したり、あるいはハンガーレールに沿わせた状態でハンガーレールとともに梱包していた。
【０００５】
ところが、モヘアを丸めた状態で梱包すると、設置場所においてハンガーレールに取り付けてもモヘアに丸まった状態の癖が残り、所々変形してしまう。また、ハンガーレールレールに沿わせて梱包しても、梱包ケース内で自重により変形して丸まったりする。接着テープで一部をハンガーレールに固定すると、その接着部分で変形が生じるという問題点がある。
【０００６】
この発明の目的は、輸送時の軟質材の変形を防止し得る間仕切りのハンガーレールを提供することにある。
【課題を解決するための手段】
【０００７】
請求項１では、パネルを移動可能に支持するハンガーレールに、該ハンガーレールと前記パネルとの間の隙間を覆う軟質材を取着した間仕切りにおいて、前記ハンガーレールには、該ハンガーレールと前記パネルとの間の隙間を覆うようにハンガーレールから露出させて前記軟質材を保持する通常係止部と、前記ハンガーレールの溝部内に前記軟質材を溝部外に露出しないように保持する輸送用係止部とを備えた。
【０００８】
請求項２では、前記ハンガーレールは、複数のランナー走行部を連結部で連結してランナー走行部間に溝部を形成し、前記連結部の下面に前記通常係止部を設け、前記連結部の上面に前記輸送用係止部を設けた。
【０００９】
請求項３では、前記ハンガーレールの下面に前記通常係止部を設け、前記溝部は、前記軟質材の高さより深く形成したランナー走行部とし、前記輸送用係止部は、前記ハンガーレールのランナー走行部の上辺に前記軟質材を下方に吊下げ可能に設けた。
【００１０】
請求項４では、前記通常係止部及び輸送用係止部を溝状に形成し、前記軟質材の基端部を前記通常係止部及び輸送用係止部に挿通可能とする板状部とした。
請求項５では、請求項１乃至４のいずれか１項に記載のハンガーレールからランナーを介してパネルを回動可能に支持した。
【発明の効果】
【００１１】
本発明によれば、輸送時の軟質材の変形を防止し得る間仕切りのハンガーレールを提供することができる。
【発明を実施するための最良の形態】
【００１２】
（第一の実施の形態）
以下、この発明を具体化した第一の実施の形態を図面に従って説明する。図１に示す間仕切りは、ハンガーレール１１と下部レール１２との間で複数枚のパネル１３が移動可能に支持されている。前記ハンガーレール１１は押し出し形材で形成され、複数枚のパネルを支持するランナー走行部１４が連結部１５を介して一体に成形されている。
【００１３】
前記各パネル１３は、図５に示すように、２枚ずつのパネル１３が蝶番２０を介して回動可能に連結され、連結された各パネル１３の幅方向中央部がランナー２１を介して共通のランナー走行部１４に支持されている。従って、各パネル１３はハンガーレール１１に沿って引き違い操作可能であり、蝶番２０を介して回動可能である。
【００１４】
各連結部１５の下面には、下方に向かって開口する溝状の通常係止部１６がそれぞれ形成され、各通常係止部１６にモヘアで構成される軟質材１７がハンガーレール１１の全長にわたって取着されている。すなわち、軟質材１７は比較的硬質な板状部と、その板状部に植設された多数の毛からなる起毛部とで構成されている。
【００１５】
そして、前記板状部が前記通常係止部１６内に挿入され、起毛部が通常係止部１６の開口部を経て下方に突出されている。また、前記通常係止部１６の開口部は前記板状部より幅狭に形成されて、軟質材１７が下方に抜けないようになっている。
【００１６】
そして、起毛部がパネル１３の上端部近傍まで突出することにより、ハンガーレール１１とパネル１３との間からの光漏れを防止するようになっている。また、起毛部はパネル１３の回動を妨げない。
【００１７】
前記連結部１５の上方には、前記ランナー走行部の側辺で囲まれた溝部が形成され、その溝部の底面、すなわち前記連結部１５の上面には、上方に開口する第一の輸送用係止部１８がそれぞれ形成されている。そして、その第一の輸送用係止部１８に前記軟質材１７の板状部を挿入可能となっている。
【００１８】
このように構成された間仕切りの輸送時には、図２に示すように、軟質材１７の板状部を第一の輸送用係止部１８に挿入して、起毛部をランナー走行部１４間の溝部に位置させ、この状態で梱包する。この状態では、輸送用係止部１８の開口部が軟質材１７の板状部より幅狭に形成されているので、軟質材１７が上方に抜けることなく輸送用係止部１８に保持される。
【００１９】
そして、間仕切りの設置場所において、軟質材１７を第一の輸送用係止部１８から取り外し、通常係止部１６に取り付ける。
上記のように構成された間仕切りでは、次に示す作用効果を得ることができる。
（１）間仕切りの輸送時には、軟質材１７を第一の輸送用係止部１８に取着する。第一の輸送用係止部１８に取着された軟質材１７は、ハンガーレール１１に沿って直線状に保持されるので、丸まってしまうような変形は生じない。
（２）起毛部は連結部１５間の溝部内で、何者にも接触しない状態で収容されるので、起毛部の変形を未然に防止することができる。
（３）従って、軟質材１７を第一の輸送用係止部１８に取着した状態で梱包することにより、輸送時における軟質材１７の変形を防止することができる。
（第二の実施の形態）
図３は、第二の実施の形態を示す。この実施の形態は、前記第一の輸送用係止部１８と同様な第二の輸送用係止部１９を、第一の輸送用係止部１８に加えてランナー走行部１４内の上辺に設けたものである。
【００２０】
このような構成とすることにより、輸送時には軟質材１７をランナー走行部１４内の第二の輸送用係止部１９に取着することにより、前記第一の実施の形態と同様な作用効果を得ることができる。
【００２１】
また、第一及び第二の輸送用係止部１９のすべてに軟質材を取着すれば、予備の軟質材を同梱することができる。
上記実施の形態は、以下の態様で実施してもよい。
・第二の実施の形態において、第二の輸送用係止部は、ランナーの移動に支障をきたさなければ、ランナー走行部内の側辺に設けてもよい。
・軟質材の基端部に凹条を形成し、その凹条をハンガーレールに形成した突条に嵌合するようにしてもよい。
・軟質材は、モヘア以外、例えば軟硬質樹脂複合押出し材としてもよい。
【図面の簡単な説明】
【００２２】
【図１】第一の実施の形態の間仕切りを示す側面図である。
【図２】第一の実施の形態の輸送時のハンガーレールを示す側面図である。
【図３】第二の実施の形態の輸送時のハンガーレールを示す側面図である。
【図４】従来例の間仕切りを示す側面図である。
【図５】間仕切りを示す平面図である。
【符号の説明】
【００２３】
１１        ハンガーレール
１３        パネル
１４        ランナー走行部
１５        連結部
１６        通常係止部
１７        軟質材
１８        第一の輸送用係止部
１９        第二の輸送用係止部
【図１】
2006125067.tif 000003
【図２】
2006125067.tif 000004
【図３】
2006125067.tif 000005
【図４】
2006125067.tif 000006
【図５】
2006125067.tif 000007